(57)【要約】【課題】 電源と負荷による回路の制御に置いて、スイッチやセンサー等の設置場所を自由にし、更には設置個数の限定も失くす事で必要な所に必要なだけスイッチやセンサー等の設置を可能にする。また、スイッチと負荷側との通信信号にＩＤを与えて、個々に制御も可能にする。【解決手段】 電源と負荷と、該負荷を制御するように接続した継電器の回路を構成し、該継電器と無線受信機と該無線受信機の信号を信号処理して該継電器を制御する信号処理部とを該回路の制御装置とし、送信機とスイッチやセンサーを組込んだスイッチ装置を自在な場所に設置して該回路を制御する。【選択図】図１
2019121504.tif 000002
【特許請求の範囲】
【請求項１】
電源と負荷と、該負荷を制御するように接続された継電器の回路に置いて、該継電器と無線受信機と、該無線受信機の信号を信号処理して該継電器を制御する信号処理部とを該回路の制御装置とし、送信機とスイッチを組込んだスイッチ装置を自在な場所に設置して該回路を制御する、設置フリースイッチ装置。
【請求項２】
前記スイッチ装置を複数設置して前記回路の制御をする、請求項１の設置フリースイッチ装置。
【請求項３】
前記制御装置を複数設置して前記回路の制御をする、請求項１乃至２の設置フリースイッチ装置。
【請求項４】
前記回路には前記回路の開閉をするスイッチも設置された、請求項１乃至３の設置フリースイッチ装置。
【請求項５】
前記制御装置は、信号を受信した際に、前記回路が閉の時は開に制御し、前記回路が開の時は閉に制御する、請求項１乃至４の設置フリースイッチ装置。
【請求項６】
前記スイッチ装置には受信機能も搭載し、該制御装置は発信機能も搭載し、相互の制御を可能にした、請求項１乃至５の設置フリースイッチ装置。
【請求項７】
前記スイッチ装置には時間制御機能、表示器、照明又はセンサーの少なくともいずれか一も搭載した、請求項１乃至６の設置フリースイッチ装置。
【請求項８】
前記制御装置には時間制御機能、表示器、照明、スイッチ又はセンサーの少なくともいずれか一も搭載した、請求項１乃至７の設置フリースイッチ装置。
【請求項９】
前記継電器は、３路スイッチや４路スイッチを使用した前記回路に置いては、該スイッチ間の並行する２本の配線間に接続される、請求項１乃至８の設置フリースイッチ装置。
【請求項１０】
前記継電器は、２路スイッチを使用した前記回路に置いては、該２路スイッチの両端子に接続される、請求項１乃至９の設置フリースイッチ装置。
【請求項１１】
前記継電器は、３路スイッチを使用した前記回路に置いては、２つの該３路スイッチの０端子に接続された、請求項１乃至１０の設置フリースイッチ装置。
【請求項１２】
前記制御装置は、前記電気負荷に搭載した、請求項１乃至１１の設置フリースイッチ装置。
【請求項１３】
前記制御装置は、前記回路に挿入されたスイッチに搭載した、請求項１乃至１２の設置フリースイッチ装置。
【請求項１４】
前記制御装置は、アダプター又はソケットとして前記回路に接続される、請求項１乃至１３の設置フリースイッチ装置。
【請求項１５】
前記スイッチ装置と前記制御装置の送受信信号にはＩＤを割当、該スイッチ装置と該制御装置を夫々相互に特定して制御が可能な、請求項１乃至１４の設置フリースイッチ装置。
【請求項１６】
前記回路に３路スイッチ又は４路スイッチを使用した場合は、該３路スイッチの１と３端子を短絡し、該４路スイッチに於いては１と３端子又は２と４端子を短絡し、前記制御装置は該３路スイッチ又は該４路スイッチのスイッチ操作による接点の移動の際の電気的開放を検出して前記回路を制御する、請求項１乃至１５の設置フリースイッチ装置。
【発明の詳細な説明】
【技術分野】
【０００１】
本発明は、発振器を備えたセンサーやスイッチを設置場所や設置個数に制限なく設置して、無線で受信した信号により電気回路に挿入した継電器を操作して、電気回路を制御するシステムである。
【背景技術】
【０００２】
電気回路の制御には通常、電気回路に接続されたスイッチやセンサーで制御をする、或はリモコンにより制御をする。本発明は、設置個数にも制限なく、また電気回路を完全に、多彩にコントロールする、リモコンによるオンオフとは一線を画すシステムである。
【先行技術文献】
【特許文献】
【０００３】
【特許文献１】特許第５８７６６１３号
【特許文献２】特願２０１７−２３４３９８
【発明の概要】
【発明が解決しようとする課題】
【０００４】
電気負荷の制御にはスイッチやセンサー或は、リモコンやＩＯＴで制御するが、それとは別にスイッチや人感センサーの設置場所や設置個数の制限無しに、且つ電気負荷を高度にコントロールしたい。
本発明では、受発振器とスイッチ又はセンサー、又は表示器や照明等を組合せたものを（以下、スイッチ・センサー無線装置と呼ぶ）シールのように必要な所に設置して、電気回路に接続された継電器と継電器の制御器と無線の受発振器や表示器、センサー等（それらを以下、制御装置と呼ぶ）でその信号を受信し、或はスイッチ・センサー無線装置に発信をして、電気回路を自在に高度に制御する。
電気回路の従来の制約を失くす。 
【０００５】
スイッチ・センサー無線装置の数にも制限は無く、スイッチ・センサー無線装置には必要な機能のスイッチやセンサー、その他の能動又は受動部品を使用しても良く、更にはスイッチやセンサーそのものの機能を制御装置から操作しても良い。制御装置の数にも制限は無く、また、夫々の信号にＩＤを追加することで、細かな制御も可能になる。
【課題を解決するための手段】
【０００６】
スイッチ・センサー無線装置と制御装置で構成する。
基本の構成としては、スイッチに発振器を付けた装置と電気回路に挿入した継電器と、その継電器を受信信号により操作する信号処理部で構成する。それらの数量に制限は無く、スイッチ・センサー無線装置は設置場所にも制限は無い。尚、電気回路には従来のスイッチは残して、活かす事も可能にした。
【０００７】
継電器は、電気回路に直列に挿入、電気回路の２路スイッチに並列に、３路回路では２つの３路スイッチの０端子に、またはスイッチ間の２本の配線間に、等の結線方法があるが、
別の方法として、３路スイッチの１と３端子を短絡して、４路スイッチでも同じか、２と４端子を短絡すると、常時電気が流れる状態になるが、スイッチ操作の際に瞬間的な電気的開放が発生するので、それを回路に挿入されてる制御装置が捉えてスイッチ操作として信号処理をすれば良い。２路スイッチを使用してる場合は、３路スイッチ又は４路スイッチに置き換えれば同様にできる。詰まり、これによりスイッチが挿入されてる回路に置いても、負荷の完全な制御を可能にした。
【０００８】
スイッチ・センサー無線装置のスイッチは、従来の電気回路を制御するスイッチと同じ機能を持たせても良いし、別の機能、例えば、一定時間動作のスイッチとしても良い。
センサーは、湿度や照度、臭気等各種あるが、必要な位置に必要な個数を設置できる。また、距離センサーでの検知やジェスチャー検知、画像認識での検知等の方法も考えられる。
【０００９】
スイッチ・センサー無線装置からの信号を制御装置が受信した際に、電気回路が閉の状態であれば開に、開であれば閉にする事で複数のスイッチに対応できる。勿論、スイッチ・センサー無線装置からの信号を開や閉に利用するとは限らず、一定時間動作や通過電流の可変でも、内蔵した表示器や照明への制御としても良く、その他必要に合わせて使う。
【００１０】
制御装置もからもスイッチ・センサー無線装置に発信を可能にし、スイッチ・センサー無線装置のセンサーの感度を変えたり、内蔵の照明を点灯させたり等の操作が可能。また、制御装置を結線により、負荷を限定しての操作も可能だが、夫々の信号にＩＤを追加することで、複数の負荷や複数のスイッチにも夫々対応でき、細かな制御も可能になる。
【００１１】
制御装置は、電気回路上に設置、負荷に内蔵、スイッチに内蔵、ソケットやアダプター式での接続等の方法がある。また時間での制御機能を持たせても良く、それはスイッチ・センサー無線装置も同様である。
【発明の効果】
【００１２】
照明や換気扇等を配線に制限されずに制御が可能。しかも複数のスイッチも使用可能。複数の照明や換気扇に対しても夫々に制御も可能になる。
【００１３】
必要な所に必要なだけ配置できる。複数の負荷に対しても夫々に制御も可能。また、スイッチ・センサー無線装置や制御装置には時計機能を使用しての制御も可能。
【図面の簡単な説明】
【００１４】
【図１】図１は本発明の実施方法を示した説明図である。（実施例１）
【図２】図２は本発明の実施方法を示した説明図である。（実施例２）
【図３】図３は本発明の実施方法を示した説明図である。（実施例３）
【図４】図４は本発明の実施方法を示した説明図である。（実施例４）
【図５】図５は本発明の実施方法を示した説明図である。（実施例５）
【図６】図６は本発明の実施方法を示した説明図である。（実施例６）
【図７】図７は本発明の実施方法を示した説明図である。（実施例７）
【図８】図８は本発明の実施方法を示した説明図である。（実施例８）
【図９】図９は本発明の実施方法を示した説明図である。（実施例９）
【図１０】図１０は本発明の実施方法を示した説明図である。（実施例１０）
【図１１】図１１は本発明の実施方法を示した説明図である。（実施例１１）
【図１２】図１２は本発明の実施方法を示した説明図である。（実施例１２）
【図１３】図１３は本発明の実施方法を示した説明図である。（実施例１３）
【図１４】図１４は本発明の実施方法を示した説明図である。（実施例１４）
【図１５】図１５は本発明の実施方法を示した説明図である。（実施例１５）
【図１６】図１６は本発明の実施方法を示した説明図である。（実施例１６）
【図１７】図１７は本発明の実施方法を示した説明図である。（実施例１７）
【発明を実施するための形態】
【実施例１】
【００１５】
図１は、本発明の１実施例で、電気回路電源１１、負荷１４を制御装置１６で制御をする。電気回路の電気回路電源１１は交流でも直流でも良い。制御装置１６に内蔵されてる受信機でスイッチ・センサー無線装置１からの信号により負荷１４を制御する、それ以外に押釦スイッチ２で負荷１４のオンオフ、或は一定時間動作やそのリセット等も可能。センサー類６の信号を利用しても良い。センサー類６は人感センサーでも、モーションセンサーでも距離センサーでも、照度、湿度、臭気センサー棟も考えられる。
【００１６】
押釦スイッチ２で負荷１４をオンオフさせる場合、スイッチ・センサー無線装置１からの信号もあるし、それも複数のスイッチ・センサー無線装置１の場合もあるが、一例として、負荷がオンの状態であったらオフにさせ、オフの状態であったらオンさせれば良い。これが本発明の特徴の１つでもある。 
【実施例２】
【００１７】
図２は、本発明の１実施例で、制御装置内蔵負荷１２した。内蔵ではなくアダプターやソケットで電気負荷１４に接続しても同様である。
【実施例３】
【００１８】
図３は、本発明の１実施例で、図１に２路スイッチ１５を挿入した回路で、このスイッチと制御装置１６の両方で負荷１４を制御可能としてる。また、２路スイッチ１５はオンしたままにして置けば、図１と同様になる。
２路スイッチに限らず３路スイッチを使用しても、これと同様の回路にできる。
【実施例４】
【００１９】
図４は、本発明の１実施例で、本来は２路スイッチを使う回路だが３路スイッチ１３の１端子と３端子を短絡して使用することで、制御装置内蔵負荷１２に常時通電して制御装置内蔵負荷１２が制御を担当する。勿論、３路スイッチ１３を操作すれば電気的開放が生まれるので、それはスイッチの操作として制御装置内蔵負荷１２の制御装置が判断して信号処理をする。３路スイッチ１３の代わりに４路スイッチの１端子と３端子を短絡するか、２端子と４端子を短絡しても置き換えが可能である。
【実施例５】
【００２０】
図５は、本発明の１実施例で、２路スイッチ１５に並列に制御装置１６を接続した。２路スイッチ１５がオフの間は制御装置１６が有効になる。電気的には制御装置１６に内蔵の継電器だけ、この配線にすれば良いのだが、制御装置１６の動作電源を線路から抽出する場合は、抽出回路の結線を追加する場合もある。
【実施例６】
【００２１】
図６は、本発明の１実施例で、図５の３路スイッチ回路の場合になる。この場合も、電気的には制御装置１６に内蔵の継電器だけ、この配線にすれば良いのだが、制御装置１６の動作電源を線路から抽出する場合は、抽出回路の結線を追加する場合もある。
【実施例７】
【００２２】
図７は、本発明の１実施例で、３路スイッチ１３による回路がオフの間は制御装置１６が有効になる。この場合も、電気的には制御装置１６に内蔵の継電器だけ、この配線にすれば良いのだが、制御装置１６の動作電源を線路から抽出する場合は、抽出回路の結線を追加する場合もある。
【実施例８】
【００２３】
図８は、本発明の１実施例で、３路スイッチ１３を使用した回路であるが１端子と３端子を短絡して使用することで、制御装置１６に常時通電して制御装置１６が制御を担当する。勿論、３路スイッチ１３を操作すれば電気的開放が生まれるので、それはスイッチの操作として制御装置１６の制御装置が判断して信号処理をする。また、制御装置１６の設置位置は回路内であれば、何処でも良い、それはこの図に限らない。
【実施例９】
【００２４】
図９は、本発明の１実施例で、スイッチ・センサー無線装置１の内部の状態を書いた図である。受発振器３により表示器や照明４を操作したり、押釦スイッチ２の操作を制御装置１６に発信したりする。電源５はバッテリーに限らず、ソーラーパネルを使用しても、また無線を利用しての電源抽出や、押釦スイッチ２の操作から発生させる事も考えられる。
【実施例１０】
【００２５】
図１０は、本発明の１実施例で、スイッチ・センサー無線装置１の内部の状態を書いた図である。センサー類６の信号を受発振器３により制御装置１６に発信したり、受発振器３からの信号でセンサー類６の機能を操作したりする、例えばセンサーの感度を変えたり、センサーの機能を停止したりできる。電源５に付いては図９の説明と同じであるが、この場合センサー類６にソーラーパネルを使用して照度センサーにした場合は、その発生電気を利用できる可能性もある。
【実施例１１】
【００２６】
図１１は、本発明の１実施例で、図１０に２路スイッチを追加している。この２路スイッチは通常の回路に設置されて、負荷をオンオフしてるスイッチと同様の機能としても良い。
【実施例１２】
【００２７】
図１２は、本発明の１実施例で、スイッチ・センサー無線装置１の外観である。
【実施例１３】
【００２８】
図１３は、本発明の１実施例で、建物を横から見た図で建物の壁１０と階段９と階段の照明８は、複数あるスイッチ・センサー無線装置１で制御される。最下段のスイッチ・センサー無線装置１には小さい照明があり、押釦スイッチ２を押して階段の照明８を点灯消灯が可能。一定時間点灯にしても良い。最上段のスイッチ・センサー無線装置１はセンサー類６にて照明８を自動点灯する。中段のスイッチ・センサー無線装置１は、最上段のに押釦スイッチ２が付いてるので消灯操作も可能となる。どちらにしても、階段での死角を失くす事が可能で、スイッチ・センサー無線装置１の個数に制限は無い。
【００２９】
３つのスイッチ・センサー無線装置１の信号は、点灯してる時は消灯に、消灯してる時は点灯に制限すれば良い。この図では明示してないが、照明８と電気回路電源１１の回路に接続された制御装置１６が受信して制御する。或は制御装置１６は照明８に内蔵しても良いし、ソケットやアダプターで照明８と接続しても良い。又、制御装置１６は夫々の照明８に設置しても良い。
【実施例１４】
【００３０】
図１４は、本発明の１実施例で、制御装置１６を負荷ではなくスイッチに内蔵しても良いので、ここでは３路スイッチ１３に内蔵した。内蔵ではなく、ソケットやアダプターでスイッチと接続しても良い。
【実施例１５】
【００３１】
図１５は、本発明の１実施例で、電気回路の２路スイッチ１５と制御装置１６の接続例。
【実施例１６】
【００３２】
図１６は、本発明の１実施例で、夫々の送受信信号にＩＤを割当てた制御装置内蔵負荷１２ａ，ｂ，ｃである。当然、スイッチ・センサー無線装置１の送受信信号にもａ，ｂ，ｃのＩＤを割当て、夫々に制御する事が可能である。制御装置内蔵負荷１２やスイッチ・センサー無線装置１の数量にも制限は無い。
【実施例１７】
【００３３】
図１７は、本発明の１実施例で、制御装置１６とスイッチ・センサー無線装置１の夫々の送受信信号にＩＤを割当てそれをａ，ｂ，ｃと表記した。スイッチ・センサー無線装置１の数にも制限がないので、ここではスイッチ・センサー無線装置１ａが２つある。
【符号の説明】
【００３４】
１ スイッチ・センサー無線装置
１ａ，ｂ，ｃ 夫々にＩＤを割当てたスイッチ・センサー無線装置
２ 押釦スイッチ
３ 受発振器
４ 表示器や照明
５ 電源
６ センサー類
７ ２路スイッチ
８ 照明
９ 階段
１０ 建物の壁
１１ 電気回路電源
１２ 制御装置内蔵負荷（制御装置１６を内蔵した負荷）
１２ａ，ｂ，ｃ 夫々にＩＤを割当てた制御装置内蔵負荷
１３ ３路スイッチ
１４ 電気負荷
１５ 電気回路の２路スイッチ
１６ 制御装置
１６ａ，ｂ，ｃ 夫々にＩＤを割当てた制御装置
１７ ４路スイッチ
【図１】
2019121504.tif 000003
【図２】
2019121504.tif 000004
【図３】
2019121504.tif 000005
【図４】
2019121504.tif 000006
【図５】
2019121504.tif 000007
【図６】
2019121504.tif 000008
【図７】
2019121504.tif 000009
【図８】
2019121504.tif 000010
【図９】
2019121504.tif 000011
【図１０】
2019121504.tif 000012
【図１１】
2019121504.tif 000013
【図１２】
2019121504.tif 000014
【図１３】
2019121504.tif 000015
【図１４】
2019121504.tif 000016
【図１５】
2019121504.tif 000017
【図１６】
2019121504.tif 000018
【図１７】
2019121504.tif 000019